(57)【要約】【課題】無線端末装置と無線通信装置とにおける複数の通信チャネルを用いた無線通信の通信品質を向上させる。【解決手段】無線端末装置と複数の通信チャネルを用いて通信を行う無線通信装置は、複数の通信チャネルに利用可能な複数の周波数チャネルのいずれかを割り当てた際における無線端末装置との間の通信品質を取得する通信品質取得部と、通信品質取得部が取得する通信品質に基づいて、複数の通信チャネルそれぞれに割り当てる周波数チャネルを選択する周波数チャネル選択部と、を備える。【選択図】図１
2014165827.tif 000002
【特許請求の範囲】
【請求項１】
無線端末装置と複数の通信チャネルを用いて通信を行う無線通信装置において、
前記複数の通信チャネルに利用可能な複数の周波数チャネルのいずれかを割り当てた際における前記無線端末装置との間の通信品質を取得する通信品質取得部と、
前記通信品質取得部が取得する通信品質に基づいて、前記複数の通信チャネルそれぞれに割り当てる周波数チャネルを選択する周波数チャネル選択部と、
を備えることを特徴とする無線通信装置。
【請求項２】
請求項１に記載の無線通信装置において、
前記周波数チャネル選択部は、
前記複数の通信チャネルのいずれか１つのみに周波数チャネルを割り当てたときより、前記複数の通信チャネルそれぞれに該周波数チャネルを割り当てたときの通信品質が低い場合、前記複数の通信チャネルそれぞれに異なる周波数チャネルを割り当てる選択をする
ことを特徴とする無線通信装置。
【請求項３】
請求項１又は請求項２のいずれかに記載の無線通信装置において、
前記周波数チャネル選択部は、
前記複数の通信チャネルに周波数チャネルを割り当てる際に、利用している他の無線端末装置の数が少ない周波数チャネルを優先して選択する
ことを特徴とする無線通信装置。
【請求項４】
無線端末装置と複数の通信チャネルを用いて通信を行う無線通信装置が行う周波数チャネル選択方法であって、
前記複数の通信チャネルに利用可能な複数の周波数チャネルのいずれかを割り当てた際における前記無線端末装置との間の通信品質を取得する通信品質取得ステップと、
前記通信品質取得ステップにおいて取得する通信品質に基づいて、前記複数の通信チャネルそれぞれに割り当てる周波数チャネルを選択する周波数チャネル選択ステップと、
を有することを特徴とする周波数チャネル選択方法。
【発明の詳細な説明】
【技術分野】
【０００１】
本発明は、無線通信装置、及び周波数チャネル選択方法に関する。
【背景技術】
【０００２】
近年、コンピュータ以外にも無線ＬＡＮを利用する無線端末装置、例えばスマートフォンや、タブレット端末、ゲーム機等の情報機器が普及し、快適な無線接続及び通信に対する要求が高まっている。このような要求を受けて、無線通信を用いて構成されるネットワークにおける通信品質を向上させる検討がなされている（例えば、特許文献１や、特許文献２）。
【０００３】
また、快適な無線接続及び通信に対する要求に応えるために、無線端末装置とネットワークへの接続を提供する無線通信装置（例えば、アクセスポイント）との間において複数の通信チャネルを用いて通信を行うＭＩＭＯ技術などを適用して、通信速度を向上させることが行われている。
【先行技術文献】
【特許文献】
【０００４】
【特許文献１】特開２００７−０７４５６８号公報
【特許文献２】特開２０１０−２８８２８０号公報
【発明の概要】
【発明が解決しようとする課題】
【０００５】
しかし、無線ＬＡＮを利用する無線端末装置の増加に伴い干渉の発生などによる、無線端末装置と無線通信装置との通信品質の低下が問題となっている。特許文献１や特許文献２などではネットワークの装置間それぞれに周波数チャネルをどのように割り当てるかを検討しているが、ユーザが直接利用する無線通信端末と無線通信装置との間において利用される複数の通信チャネルに対する周波数チャネルの割り当てについては検討されていない。
【０００６】
本発明は、上記問題を解決すべくなされたもので、その目的は、無線端末装置と無線通信装置とにおける複数の通信チャネルを用いた無線通信の通信品質を向上させることができる無線通信装置、及び周波数チャネル選択方法を提供することにある。
【課題を解決するための手段】
【０００７】
本発明は、無線端末装置と複数の通信チャネルを用いて通信を行う無線通信装置において、前記複数の通信チャネルに利用可能な複数の周波数チャネルのいずれかを割り当てた際における前記無線端末装置との間の通信品質を取得する通信品質取得部と、前記通信品質取得部が取得する通信品質に基づいて、前記複数の通信チャネルそれぞれに割り当てる周波数チャネルを選択する周波数チャネル選択部と、を備えることを特徴とする無線通信装置である。
【０００８】
また、本発明は、上記に記載の発明において、前記周波数チャネル選択部は、前記複数の通信チャネルのいずれか１つのみに周波数チャネルを割り当てたときより、前記複数の通信チャネルそれぞれに該周波数チャネルを割り当てたときの通信品質が低い場合、前記複数の通信チャネルそれぞれに異なる周波数チャネルを割り当てる選択をすることを特徴とする。
【０００９】
また、本発明は、上記に記載の発明において、前記周波数チャネル選択部は、前記複数の通信チャネルに周波数チャネルを割り当てる際に、利用している他の無線端末装置の数が少ない周波数チャネルを優先して選択することを特徴とする。
【００１０】
また、本発明は、無線端末装置と複数の通信チャネルを用いて通信を行う無線通信装置が行う周波数チャネル選択方法であって、前記複数の通信チャネルに利用可能な複数の周波数チャネルのいずれかを割り当てた際における前記無線端末装置との間の通信品質を取得する通信品質取得ステップと、前記通信品質取得ステップにおいて取得する通信品質に基づいて、前記複数の通信チャネルそれぞれに割り当てる周波数チャネルを選択する周波数チャネル選択ステップと、を有することを特徴とする周波数チャネル選択方法である。
【発明の効果】
【００１１】
この発明によれば、利用可能な周波数チャネルを複数の通信チャネルに割り当てた際の通信品質に基づいて、複数の通信チャネルそれぞれに割り当てる周波数チャネルを選択することにより、通信チャネル間の干渉の影響を抑えた周波数チャネル割り当てを行うことができ、無線通信装置と無線端末装置とにおける通信品質を向上させることができる。
【図面の簡単な説明】
【００１２】
【図１】第１の実施形態における無線通信システムの構成を示すブロック図である。
【図２】同実施形態における周波数チャネル利用状態テーブルの一例を示す図である。
【図３】同実施形態におけるテスト結果テーブルの一例を示す図である。
【図４】同実施形態における周波数チャネル選択処理を示すフローチャートである。
【図５】第２の実施形態における無線通信システムの構成を示すブロック図である。
【図６】同実施形態における無線通信システムを適用した具体例を示す図である。
【発明を実施するための形態】
【００１３】
以下、図面を参照して、本発明の実施形態における無線通信装置、及び周波数チャネル選択方法を説明する。
【００１４】
（第１の実施形態）
図１は、第１の実施形態における無線通信システムの構成を示すブロック図である。無線通信システムは、無線通信装置１０と無線端末装置２０とを具備している。同図では、無線通信システムが１台の無線端末装置２０を具備する例を示しているが、無線通信システムは２台以上の無線端末装置２０を具備していてもよい。無線通信装置１０は、無線通信により無線端末装置２０に対してネットワーク（不図示）への接続、例えばネットワークを介したサーバ装置へのアクセスなどを提供する。例えば、無線通信装置１０は無線ＬＡＮにおけるアクセスポイントであり、無線端末装置２０はスマートフォンやノート型コンピュータなどである。
【００１５】
なお、同図では無線通信装置１０と無線端末装置２０とがそれぞれ２本ずつのアンテナ素子を備え２つの通信チャネルを用いて無線通信する構成が示されているが、無線通信装置１０と無線端末装置２０とは３本以上のアンテナ素子を備え３つ以上の通信チャネルを用いて無線通信をするようにしてもよい。本明細書において通信チャネルは、無線通信経路又は伝搬路を意味する。
【００１６】
無線通信装置１０は、無線通信部１１、通信品質取得部１２、周波数チャネル選択部１３、周波数チャネル利用状態記憶部１４、及び、通信品質記憶部１５を備えている。無線通信部１１には複数のアンテナ素子が接続されている。無線通信部１１は、接続されているアンテナ素子と、無線端末装置２０が備えているアンテナ素子との間に形成される複数の通信チャネルを用いて、無線端末装置２０と無線通信を行う。
【００１７】
通信品質取得部１２は、各通信チャネルの状態を把握するために通信チャネルに対する周波数チャネルの割り当てを行い、当該割り当てを示す制御信号を無線通信部１１に出力して無線通信部１１を制御する。通信品質取得部１２は、通信チャネルに割り当てた周波数チャネルを用いて無線通信部１１が無線端末装置２０と無線通信を行っている際の通信品質を取得する。通信品質取得部１２は、取得した通信品質を、該通信品質を取得した際の周波数チャネルの割り当て及び通信対象の無線端末装置２０に対応付けて通信品質記憶部１５に記憶させる。通信品質を示す指標としては、例えば、スループットや、エラー発生率などが用いられる。通信品質取得部１２は、無線通信が行われている間におけるスループットやエラー発生率などを算出することにより、通信品質を取得する。
【００１８】
周波数チャネル選択部１３は、通信品質記憶部１５に記憶されている通信品質に基づいて、無線端末装置２０との間における各通信チャネルにおいて用いる周波数チャネルを選択する。周波数チャネル選択部１３は、選択した周波数チャネルを示す信号を無線通信部１１に出力して、選択された周波数チャネルを用いて無線端末装置２０との通信を行うように無線通信部１１を制御する。周波数チャネル選択部１３は、無線端末装置２０に対する周波数チャネルの選択に基づいて、周波数チャネル利用状態記憶部１４に記憶されている周波数チャネル利用状態テーブルを更新する。周波数チャネル利用状態テーブルには、周波数チャネルごとに当該周波数チャネルを利用している無線端末装置２０の数を示す情報が含まれる。
【００１９】
周波数チャネル利用状態記憶部１４には、周波数チャネル利用状態テーブルが記憶されている。周波数チャネル利用状態テーブルは、上述したように、周波数チャネルごとに当該周波数チャネルを利用している無線端末装置２０の数を示す情報が含まれている。図２は、本実施形態における周波数チャネル利用状態テーブルの一例を示す図である。周波数チャネル利用状態テーブルは、例えば、周波数チャネル番号、及び、利用端末装置数の２つの項目の列を有し、無線通信システムにおいて利用可能な周波数チャネルに対応する行を有している。周波数チャネル番号は各周波数チャネルを識別する番号であり、利用端末装置数は対応する周波数チャネルが割り当てられている無線端末装置２０の数である。例えば、同図に示す例では、周波数チャネル番号「１」で識別される周波数チャネルが「３」台の無線端末装置２０に対して割り当てられていることを示す情報が周波数チャネル利用状態テーブルに含まれている。
【００２０】
通信品質記憶部１５には、無線通信装置１０が無線通信を行っている無線端末装置２０ごとに、通信品質及び当該通信品質が取得された際の周波数チャネルの割り当てを示すテスト結果テーブルが記憶されている。図３は、本実施形態におけるテスト結果テーブルの一例を示す図である。テスト結果テーブルは、例えば、２次元の表形式のデータで表される情報であって、無線端末装置２０を識別する識別子、テスト結果１、テスト結果２、テスト結果３、及び、判定結果の５つの項目の列を有し、無線端末装置２０ごとに対応する行を有している。例えば、同図に示す例では、識別子「ＳＴＡ１」で識別される無線端末装置２０に対して、テスト結果１「１００Ｍｐｂｓ」、テスト結果２「２００Ｍｂｐｓ」、テスト結果３「２００Ｍｂｐｓ」、及び、判定結果「同一周波数ＣＨ（チャネル）」が対応付けられた情報がテスト結果テーブルに含まれている。
【００２１】
図１に戻って、無線通信システムの構成の説明を続ける。
無線端末装置２０は、無線通信部２１、及び、周波数チャネル選択部２２を備えている。無線通信部２１には、複数のアンテナ素子が接続されている。無線通信部２１は、接続されているアンテナ素子と、無線通信装置１０が備えているアンテナ素子との間に形成される複数の通信チャネルを用いて、無線通信装置１０と無線通信を行う。無線通信部２１は、無線通信装置１０から受信する制御信号を周波数チャネル選択部２２に出力する。周波数チャネル選択部２２は、制御信号が無線通信装置１０との通信に用いる周波数チャネルを指定する情報を含む場合、当該情報が示す割り当てによる無線通信を無線通信部２１が行う制御をする。
【００２２】
以下、無線端末装置２０との無線通信において、無線通信装置１０が通信チャネルに割り当てる周波数チャネルを選択する周波数チャネル選択処理について説明する。図４は、本実施形態における周波数チャネル選択処理を示すフローチャートである。
無線通信装置１０において、周波数チャネル選択処理が開始されると、通信品質取得部１２は、周波数チャネルを選択する対象となっている無線端末装置２０との通信チャネルの数が１つであるか否かを判定する（ステップＳ１０１）。通信品質取得部１２は、通信チャネルの数が１つである場合（ステップＳ１０１：ＹＥＳ）には処理をステップＳ１１２に進め、通信チャネルの数が１つでない場合、すなわち通信チャネルの数が２つ以上である場合（ステップＳ１０１：ＮＯ）には処理をステップＳ１０２に進める。
【００２３】
通信品質取得部１２は、複数の通信チャネルのいずれか１つの通信チャネルに、利用可能な周波数チャネルのうちいずれか１つの周波数チャネルを割り当てる制御信号を無線通信部１１に出力し、当該割り当てにおける通信品質を取得する（ステップＳ１０２）。このとき、通信品質取得部１２は、周波数チャネル利用状態記憶部１４に記憶されている周波数チャネル利用状態テーブルに基づいて、通信チャネルに割り当てる周波数チャネルを選択する。例えば、利用可能な周波数チャネルのうち、利用している無線端末装置２０の数が少ない周波数チャネルを割り当てる。
【００２４】
また、通信品質の取得は、例えば、以下のようにして行う。無線通信部１１が、無線端末装置２０に対して制御信号に示される割り当てにて所定のデータを送信することを要求し、無線端末装置２０から受信した当該データを通信品質取得部１２に出力する。通信品質取得部１２は、単位時間あたりに受信したデータ量からスループットを算出したり、当該データにおけるエラー発生率を算出したりすることにより、通信品質を取得する。また、無線端末装置２０から無線通信装置１０へのアップリンクだけでなく、無線通信装置１０から無線端末装置２０へのダウンリンクの通信品質を取得してもよい。
通信品質取得部１２は、ステップＳ１０２において取得した通信品質をテスト結果１として通信品質記憶部１５のテスト結果テーブルに記憶させる（ステップＳ１０３）。
【００２５】
次に、通信品質取得部１２は、複数の通信チャネルすべてに、利用可能な周波数チャネルのうちいずれか１つの周波数チャネルを割り当てる制御信号を無線通信部１１に出力し、当該割り当てにおける通信品質を取得する（ステップＳ１０４）。換言すると、通信品質取得部１２は、すべての通信チャネルで同じ周波数チャネルを用いた場合の通信品質を取得する。このとき、割り当てる周波数チャネルは、ステップＳ１０２と同様に選択する。
通信品質取得部１２は、ステップＳ１０４において取得した通信品質をテスト結果２として通信品質記憶部１５のテスト結果テーブルに記憶させる（ステップＳ１０５）。
【００２６】
次に、通信品質取得部１２は、利用可能な周波数チャネルから複数の通信チャネルそれぞれに異なる周波数チャネルを割り当てる制御信号を無線通信部１１に出力し、当該割り当てにおける通信品質を取得する（ステップＳ１０６）。このとき、通信品質取得部１２は、周波数チャネル利用状態記憶部１４の周波数チャネル利用状態テーブルに基づいて、通信チャネルに割り当てる周波数チャネルを選択する。例えば、利用可能な周波数チャネルのうち、利用している無線端末装置２０の数が少ない周波数チャネルから順に優先して選択する。
通信品質取得部１２は、ステップＳ１０４において取得した通信品質をテスト結果３として通信品質記憶部１５のテスト結果テーブルに記憶させる（ステップＳ１０７）。
【００２７】
周波数チャネル選択部１３は、テスト結果テーブルに記憶したテスト結果１、テスト結果２、及びテスト結果３に基づいて、周波数チャネルを割り当てる対象になっている複数の通信チャネルにおける電波干渉の度合いを判定する（ステップＳ１０８）。
【００２８】
具体的には、周波数チャネル選択部１３は、テスト結果１の示す通信品質がテスト結果２の示す通信品質以上の場合（テスト結果１≧テスト結果２）、同一の周波数チャネルを各通信チャネルに割り当てたことにより干渉が生じているとみなして、一定以上の干渉があると判定する。通信品質を示す指標としてスループットを用いた場合、テスト結果２に対応する周波数チャネルの割り当てにおいて干渉がなければ、通信チャネルの数だけテスト結果１より高い通信品質が得られるはずである。テスト結果２の通信品質がテスト結果１の通信品質より低い場合には、同じ周波数チャネルを割り当てたことにより、通信チャネル間に相互干渉が発生したことが推測される。
【００２９】
また、テスト結果３の示す通信品質がテスト結果２の示す通信品質以上の場合（テスト結果３≧テスト結果２）、同一の周波数チャネルを各通信チャネルに割り当てたことにより干渉が生じているとみなして、一定以上の干渉があると判定する。通信品質を示す指標としてスループットを用いた場合、テスト結果２とテスト結果３とは同程度の通信品質が得られるはずである。テスト結果２の通信品質がテスト結果３の通信品質より低い場合には、同じ周波数チャネルを割り当てたことにより、通信チャネル間に相互干渉が発生したことが推測される。
【００３０】
周波数チャネル選択部１３は、一定以上の干渉があると判定した場合（ステップＳ１０９：ＹＥＳ）、各通信チャネルに対して異なる周波数チャネルを割り当てる選択をする（ステップＳ１１０）。このとき、周波数チャネル選択部１３は、周波数チャネル利用状態記憶部１４に記憶されている周波数チャネル利用状態テーブルに基づいて、利用している無線端末装置２０が少ない周波数チャネルから順に通信チャネルに割り当てる周波数チャネルとして選択する。
【００３１】
一方、周波数チャネル選択部１３は、一定以上の干渉がないと判定した場合（ステップＳ１０９：ＮＯ）、各通信チャネルに対して同じ周波数チャネルを割り当てる選択をする（ステップＳ１１１）。このとき、周波数チャネル選択部１３は、周波数チャネル利用状態記憶部１４に記憶されている周波数チャネル利用状態テーブルに基づいて、利用している無線端末装置２０が最も少ない周波数チャネルを各通信チャネルに割り当てる周波数チャネルとして選択する。
【００３２】
ステップＳ１０１における判定結果が、通信チャネルの数が１つである場合（ステップＳ１０１：ＹＥＳ）、周波数チャネル選択部１３は、通信チャネルに対して、利用している無線端末装置２０が最も少ない周波数チャネルを各通信チャネルに割り当てる周波数チャネルとして選択する（ステップＳ１１２）。
【００３３】
周波数チャネル選択部１３は、ステップＳ１１０、ステップＳ１１１、又はステップＳ１１２における選択結果に基づいて、周波数チャネル利用状態記憶部１４に記憶されている周波数チャネル利用状態テーブルにおける各周波数チャネルを利用している無線端末装置２０の数を更新し（ステップＳ１１３）、周波数チャネル選択処理を終了する。
図４に示す周波数チャネル選択処理は、無線通信装置１０が無線通信対象としている無線端末装置２０ごとに行われる。
【００３４】
無線通信装置１０が周波数チャネル選択処理を行うことにより、複数の通信チャネルを用いて無線端末装置２０と無線通信を行う場合において、通信チャネルが互いに干渉を起こす可能性の有無を判定することができる。干渉を起こす可能性があるときには、各通信チャネルに異なる周波数チャネルを割り当てることにより、通信チャネル間の干渉が発生する可能性、干渉の影響を抑えることができ、無線通信装置１０と無線端末装置２０とにおける通信品質を向上させることができる。
【００３５】
なお、周波数チャネル選択処理において、周波数チャネルを選択する際に利用している無線端末装置２０の数が少ない周波数チャネルを選択する構成について説明したが、ノイズ電力や干渉波電力の低い周波数チャネルを選択するようにしてもよい。
【００３６】
（第２の実施形態）
図５は、第２の実施形態における無線通信システムの構成を示すブロック図である。本実施形態における無線通信システムは、第１の実施形態における無線通信システム(図１)が具備している構成に加えて、分配器３０及び拡張アンテナ素子３１を更に具備している。本実施形態において、第１の実施形態と同じ機能部に対しては同じ符号を付して、その説明を省略する。
【００３７】
分配器３０は、無線通信部１１と複数のアンテナ素子とを接続する端子、又は同軸ケーブルなどの有線回線と接続されている。また、分配器３０は、有線回線を介して拡張アンテナ素子３１と接続されている。拡張アンテナ素子３１は、例えば無線通信装置１０が備えているアンテナ素子では受信電力が不十分なために無線通信が困難な空間に位置する無線端末装置２０と無線通信をするために利用される。
【００３８】
分配器３０は、無線通信装置１０が備えているアンテナ素子から送信される信号を入力し、当該信号を拡張アンテナ素子３１に出力する。これにより、拡張アンテナ素子３１が設置されている空間に位置する無線端末装置２０が無線通信装置１０から送信される信号を受信することができる。また、分配器３０は、拡張アンテナ素子３１が受信する信号を入力し、当該信号を無線通信部１１に出力する。これにより、拡張アンテナ素子３１が設置されている空間に位置する無線端末装置２０が送信した信号を無線通信装置１０が受信することができる。
【００３９】
図６は、本実施形態における無線通信システムを適用した具体例を示す図である。同図において、無線通信システムは、部屋Ｒ１に位置する無線通信装置１０と、住宅内の複数の部屋Ｒ１〜Ｒ３それぞれに位置する無線端末装置２０ａ〜２０ｃと、分配器３０と、部屋Ｒ２、Ｒ３に位置する拡張アンテナ素子３１ａ、３１ｂとを具備している。ここでは、各部屋Ｒ１〜Ｒ３において無線通信装置１０との無線接続を可能とするために、無線通信装置１０に接続されている分配器３０を介して、部屋Ｒ２に拡張アンテナ素子３１ａが配置され、部屋Ｒ３に拡張アンテナ素子３１ｂが配置されている。このように、無線通信装置１０から離れた部屋Ｒ２及びＲ３（空間）において良好な無線接続を可能とするために、分配器３０と拡張アンテナ素子３１ａ及び３１ｂとが用いられる。なお、無線通信装置１０と拡張アンテナ素子３１とを接続する有線回線は、専用の同軸ケーブルであってもよいし、住宅内に敷設されている電力線であってもよい。
【００４０】
図６に示す具体例においても、無線通信装置１０が、図４に示した周波数チャネル選択処理を行うことにより、分配器３０と拡張アンテナ素子３１ａ及び３１ｂとを接続する有線回線において通信チャネル間の干渉が発生する可能性、干渉の影響を抑えることができ、無線通信装置１０と無線端末装置２０ａ〜２０ｃとにおける通信品質を向上させることができる。
【００４１】
本実施形態では、同じ周波数チャネルが複数の通信チャネルに割り当てられた場合、無線通信装置１０と拡張アンテナ素子３１との間を有線回線で接続しているため、同一の経路（有線回線）に同じ周波数チャネルの信号が存在することになり干渉が発生してしまう。しかし、無線通信装置１０が周波数チャネル選択処理を行うことにより、干渉が発生することを把握し、各通信チャネルに異なる周波数チャネルを割り当てるので、無線通信装置１０と無線端末装置２０ａ〜２０ｃとにおける通信品質を向上させることができる。
なお、本実施形態における無線通信装置１０は、アンテナ素子を備えずに、拡張アンテナ素子３１のみを用いて無線端末装置２０と無線通信を行うようにしてもよい。
【００４２】
なお、図１や図５における無線通信装置１０の機能を実現するためのプログラムをコンピュータ読み取り可能な記録媒体に記録して、この記録媒体に記録されたプログラムをコンピュータシステムに読み込ませ、実行することにより周波数チャネル選択処理を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。更に「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００４３】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。更に、前述した機能をコンピュータシステムに既に記録されているプログラムとの組み合わせで実現できるもの、いわゆる差分ファイル（差分プログラム）であっても良い。
【符号の説明】
【００４４】
１０…無線通信装置
１１…無線通信部
１２…通信品質取得部
１３…周波数チャネル選択部
１４…周波数チャネル利用状態記憶部
１５…通信品質記憶部
２０、２０ａ、２０ｂ、２０ｃ…無線端末装置
２１…無線通信部
２２…周波数チャネル選択部
３０…分配器
３１、３１ａ、３１ｂ…拡張アンテナ素子
Ｒ１、Ｒ２、Ｒ３…部屋
【図１】
2014165827.tif 000003
【図２】
2014165827.tif 000004
【図３】
2014165827.tif 000005
【図４】
2014165827.tif 000006
【図５】
2014165827.tif 000007
【図６】
2014165827.tif 000008